(57)【要約】【課題】ワイヤーハーネスの製造をする際に品質を可及的に安定させることができるとともに、作業性を向上することができる電線保持具及び、これを用いた方法を提供すること。【解決手段】電線保持部１０の固定部材１１には、支持部１２が設けられ、この支持部１２には、上下方向で摺動可能な状態で支軸１４が支持されている。この支軸１４には、円板１５が設けられている。支軸１４を引き上げると、円板１５が支持穴１２ｂへ導入され、支持部１２に設けられたボールプランジャ１３の付勢力に抗して上昇するとともに、ボールプランジャ１３が復帰することにより円板１５が上方位置で係止され、支軸１４が突出姿勢とされる一方、支軸１４を押込むことによって、円板１５が上記付勢力に抗して下降して、支軸１４を退避姿勢とすることができる。【選択図】　　　図１
2004079412.tif 000002
【特許請求の範囲】
【請求項１】
図板上に予め設定された配線経路に沿うように配索される複数の電線を保持するための電線保持具であって、
上記各電線を保持するための保持部と、
この保持部が先端部に設けられた支軸と、
この支軸をその軸心方向へ相対変位可能に支持するとともに、その軸心回りに回動不能に支持した状態で上記図板に設けられ、上記保持部が各電線の保持位置に突出した突出姿勢と、上記保持部が各電線の保持位置より下方に退避した退避姿勢の少なくとも２つの姿勢の間で上記支軸を姿勢変更操作自在に支持する支持部と、
上記支軸に設けられた係止突起と、
上記支軸の移動に応じてこの係止突起と摺接可能な状態で支持部に設けられ、支軸へ近接する方向へ付勢されるとともに、上記突出姿勢とされた支持部の係止突起と当接して、当該支軸が退避姿勢となるのを規制する弾性係止部とを備え、
上記突出姿勢とされた支軸に所定の押込み力が付与されることによって、係止突起が弾性係止部を支軸から離間させ、当該支軸が退避姿勢となるように上記弾性係止部の付勢力が設定されていることを特徴とする電線保持具。
【請求項２】
図板上に予め設定された配線経路に沿うように複数の電線を配索するとともに、配索された各電線に対してテープ巻き作業又は、外装部品の取付作業を行うことによりワイヤーハーネスを製造するワイヤーハーネス製造方法であって、
上記配線経路に対応して図板上に設けられた電線保持具の支軸を図板の上方に引き上げることによって、当該支軸の先端部に設けられた保持部を各電線の保持位置に突出した突出姿勢へ変位させる突出操作工程と、
この突出操作工程で突出姿勢とされた保持部へ予め設定された電線を保持させる保持工程と、
この保持工程で保持された各電線にテープ巻き作業又は、外装部品の取付作業を行うために、上記支軸を図板の下方に押し下げることによって、当該支軸に設けられた係止突起が、支軸をその軸心方向へ相対変位可能に支持するとともに、その軸心回りに回動不能に支持する支持部に設けられた弾性係止部を、その付勢力に抗して当該支軸から離間させることにより、上記保持部を各電線の保持位置より下方に退避させた退避姿勢へ変位させる退避操作工程と、
この退避操作工程で退避姿勢とされた保持部へ保持されていた各電線に対してテープ巻き作業又は、外装部品の取付作業、若しくは、双方の作業を行なう結束工程とを含むことを特徴とするワイヤーハーネスの製造方法。
【発明の詳細な説明】
【０００１】
【発明の属する技術分野】
本発明は、図板上に予め設定された配線経路に沿うように配索される複数の電線を保持するための電線保持具及び、これを用いたワイヤーハーネスの製造方法に関するものである。
【０００２】
【従来の技術】
一般にワイヤーハーネスは、複数の電線によって所定の回路網が形成された電気配線システムである。この種のワイヤーハーネスは、通常図板と称される組立板へ適宜電線を保持させていくことによって製造される。
【０００３】
図６は、ワイヤーハーネス製造作業に使用される図板を示す斜視一部略図である。
【０００４】
図６を参照して、図板１には、製造対象となるワイヤーハーネスに対応して各電線Ｗを配索させるための配線経路が設定されている。この配線経路に対応する図板１上には、当該配線経路に沿うように複数の電線Ｗを保持するために複数の保持具２が設けられている。このような保持具２には、Ｕ字形に形成され、図板１の上方から電線Ｗを保持可能とするＵ字形保持具２ａが知られている。このＵ字形保持具２ａは、通常、上記配線経路の途中部で電線Ｗを保持する際に使用される（図で左側のＵ字型保持具２ａ）一方、配線経路の末端部（すなわち、電線Ｗの末端部）に対応する図板１上に設けられ、各電線Ｗの末端が接続されたコネクタＣの肩部と当接することによって、当該コネクタＣとともに各電線Ｗの末端部を位置決めした状態で図板１上に保持する際にも使用される（図で右側のＵ字形保持具２ａ）。また、上記保持具２には、上記配線経路の分岐部分に対応する図板１上に設けられ、配索される各電線Ｗの分岐部分を図板１上に位置決めした状態で保持するための分岐用保持具２ｂが知られている。この分岐用保持具２ｂは、例えば、上記Ｕ字型保持具２ａと同様にＵ字型に形成された２つの保持部が連結され、各保持部に複数の電線Ｗが保持される一方、これらの各電線Ｗの内、分岐の対象となる電線Ｗを各保持部間から導出した状態で保持するようになっている。さらに、上記保持具２には、特開平１０−４０７５２号公報で開示されるような電線支持具２ｃも知られている。この電線支持具２ｃは、上記配索経路上で多数の電線Ｗが保持される経路に対応して図板１上に設けられ、上記Ｕ字形保持具２ａだけで各電線Ｗを保持すると当該Ｕ字形保持具２ａの上方から各電線Ｗが溢れ出してしまうおそれがある場合に、上方への移動を規制した状態で各電線Ｗを保持可能に構成されている。
【０００５】
上記のような図板１を利用して、作業者は、予め設定された複数の電線Ｗを上記配線経路に沿わせるように保持具２へ保持させ、製造対象となるワイヤーハーネスに応じた電線束を形成する。このように形成された電線束の外周をテープ等で巻いて結束するとともに、クランプやプロテクタ等の外装部品を必要に応じて取り付けることによって、ワイヤーハーネスが製造されていた。
【０００６】
ところで、上記のテープ巻き作業や外装部品の取付作業を効率的に行なうために、例えば、特開平６−３３３４４１号公報に開示される「ワイヤーハーネス組立板用案内治具」のような保持具が用いられていた。この案内治具は、上述のように図板上へ電線を保持する電線ガイド部と、この電線ガイド部が先端部に設けられた電線ガイド杆とを備えており、この電線ガイド杆が図板に設けられた支持筒体に対して出退操作自在に支持されている。すなわち、案内治具は、図板上方に電線ガイド部を突出させたガイド突出姿勢と、図板上に保持された電線より下方位置へ電線ガイド部を退避させたガイド退避姿勢との間で、電線ガイド杆を図板に対して姿勢変更操作自在に構成されている。具体的には、ガイド突出姿勢の状態とされた電線ガイド杆が一旦ガイド突出姿勢よりも上方へ引き上げ操作されることによって、電線ガイド杆と支持筒体との係止が解除され、その結果、電線ガイド杆がガイド退避姿勢へ変位可能となるように構成されている。このような案内治具を利用して、作業者は、ガイド突出姿勢とされた電線ガイド部へ各電線を保持させた後、電線ガイド部をガイド退避姿勢とした状態で、電線にテープを巻き、外装部品を取り付けることによって、ワイヤーハーネスを製造する。このように、テープ巻き作業、外装部品の取付作業時に案内治具をガイド退避姿勢とすることによって、作業者は、案内治具と干渉することなく、テープ巻き作業や外装部品の取付作業を効率良く行なうことができる。
【０００７】
【発明が解決しようとする課題】
しかしながら、上記案内治具は、テープ巻き作業や外装部品の取付作業を効率良く行なうことができるという利点を有する一方、以下のような不具合があった。
【０００８】
すなわち、案内治具は、作業者が電線ガイド杆を一旦引き上げないと、案内治具がガイド退避姿勢へ変位しないため、例えば上記電線ガイド部に多数の電線が保持されている場合、作業者は、これら多数の電線とともに、電線ガイド杆を引き上げ操作しなければならず、このとき各電線の重量が多大なものとなるため、作業者の労力は過大なものとなり、作業性を低下させる要因となっていた。
【０００９】
また、案内治具をガイド退避姿勢へ変位させるために、保持された各電線とともに電線ガイド杆が引き上げられるため、案内治具の近傍に設けられた他の保持具２（例えば、上記電線支持具２ｃ）によって、各電線の上昇が規制されている場合、当該案内治具の電線ガイド杆を引き上げる作業が困難なものとなり、これも作業性を低下させる要因となっていた。
【００１０】
さらに、上述のように各電線Ｗは、上記配線経路の分岐部や末端部分において、保持具２により位置決めされた状態で図板１上に保持され、特にワイヤーハーネスの寸法精度を向上させるために、各電線Ｗは、配線経路の各末端部に配設された各保持部２（Ｕ字形保持具２ａ）の間である程度引張られた状態で図板１上に保持されている。この状態で、ガイド退避姿勢へ変位するために上記案内治具の電線ガイド杆を引き上げると、当該電線ガイド杆に保持された各電線Ｗは、各末端部間で引張り力が付与されるため、各電線ＷとコネクタＣとの接続部に異常をきたす等、品質が低下してしまうおそれがあった。
【００１１】
本発明は、上記課題に鑑みて成されたものであり、ワイヤーハーネスの製造をする際に品質を可及的に安定させることができるとともに、作業性を向上させることができる電線保持具及び、これを用いた方法を提供することを目的としている。
【００１２】
【課題を解決するための手段】
上記課題を解決するために本発明は、図板上に予め設定された配線経路に沿うように配索される複数の電線を保持するための電線保持具であって、
上記各電線を保持するための保持部と、
この保持部が先端部に設けられた支軸と、
この支軸をその軸心方向へ相対変位可能に支持するとともに、その軸心回りに回動不能に支持した状態で上記図板に設けられ、上記保持部が各電線の保持位置に突出した突出姿勢と、上記保持部が各電線の保持位置より下方に退避した退避姿勢の少なくとも２つの姿勢の間で上記支軸を姿勢変更操作自在に支持する支持部と、
上記支軸に設けられた係止突起と、
上記支軸の移動に応じてこの係止突起と摺接可能な状態で支持部に設けられ、支軸へ近接する方向へ付勢されるとともに、上記突出姿勢とされた支持部の係止突起と当接して、当該支軸が退避姿勢となるのを規制する弾性係止部とを備え、
上記突出姿勢とされた支軸に所定の押込み力が付与されることによって、係止突起が弾性係止部を支軸から離間させ、当該支軸が退避姿勢となるように上記弾性係止部の付勢力が設定されていることを特徴とする電線保持具である。
【００１３】
この発明によれば、支軸の先端部に設けられた保持部が各電線の保持位置に突出した突出姿勢と、各電線の保持位置より下方に退避する退避姿勢の少なくとも２つの姿勢の間で、支軸が支持部に相対変位可能な状態で支持されている。上記支軸には、係止突起が設けられ、上記支持部には、この係止突起と摺接可能な状態で弾性係止部が設けられている。この弾性係止部は、突出姿勢とされた支軸の係止突起と当接して、当該支軸が退避姿勢となるのを規制している。
【００１４】
このように構成された電線保持具は、上記突出姿勢とされた支軸に所定の押込み力が付与されることによって、係止突起が弾性係止部を支軸から離間させ、当該支軸が退避姿勢となるように弾性係止部の付勢力が設定されている。このような電線保持具を利用して、作業者は、突出姿勢とされた保持部へ各電線を保持させた後、上記支軸に対して所定の押し込み力を与えることによって、当該支軸を退避姿勢とすることができるため、従来技術のように、一旦支軸を突出姿勢よりも上方位置まで引き上げることなく、当該支軸を退避姿勢とすることができる。
【００１５】
そのため、従来のように退避姿勢とするために多数の電線とともに支軸を引き上げる作業が不要となり、作業者の労力を低減させ、ワイヤーハーネス製造作業の作業性を向上することができる。
【００１６】
また、退避姿勢とするために電線とともに支軸を引き上げる作業が不要となるため、各電線が他の保持具によって上昇を規制されている場合でも、容易に電線保持具を退避姿勢とすることができ、ワイヤーハーネス製造作業の作業性を向上することができる。
【００１７】
さらに、退避姿勢とするために電線とともに支軸を引き上げる作業が不要となるため、各電線の末端部間で引張り力を付与することなく、電線保持具を退避姿勢とすることができ、品質を可及的に安定させた状態でワイヤーハーネスを製造することができる。
【００１８】
なお、「所定の押込み力」とは、作業者が支軸へ加える力であり、当該支軸は、保持部へ保持された各電線の自重に相当する力と、「所定の押込み力」の合力が与えられることによって、退避姿勢に変位可能なように支持部に支持されている。ここで、保持部へ保持された各電線の自重に相当する力は、製造対象となるワイヤーハーネスの種類によって異なる値である。すなわち、支軸は、少なくとも保持部へ保持された各電線の自重に相当する力よりも大きい力が付与された場合に退避姿勢に変位するように支持部に支持され、このように支軸を支持部へ支持するように弾性係止部の付勢力が設定されている。
【００１９】
本発明の別の態様は、図板上に予め設定された配線経路に沿うように複数の電線を配索するとともに、配索された各電線に対してテープ巻き作業又は、外装部品の取付作業を行うことによりワイヤーハーネスを製造するワイヤーハーネス製造方法であって、
上記配線経路に対応して図板上に設けられた電線保持具の支軸を図板の上方に引き上げることによって、当該支軸の先端部に設けられた保持部を各電線の保持位置に突出した突出姿勢へ変位させる突出操作工程と、
この突出操作工程で突出姿勢とされた保持部へ予め設定された電線を保持させる保持工程と、
この保持工程で保持された各電線にテープ巻き作業又は、外装部品の取付作業を行うために、上記支軸を図板の下方に押し下げることによって、当該支軸に設けられた係止突起が、支軸をその軸心方向へ相対変位可能に支持するとともに、その軸心回りに回動不能に支持する支持部に設けられた弾性係止部を、その付勢力に抗して当該支軸から離間させることにより、上記保持部を各電線の保持位置より下方に退避させた退避姿勢へ変位させる退避操作工程と、
この退避操作工程で退避姿勢とされた保持部へ保持されていた各電線に対してテープ巻き作業又は、外装部品の取付作業、若しくは、双方の作業を行なう結束工程とを含むことを特徴とするワイヤーハーネスの製造方法である。
【００２０】
この方法によれば、作業者は、突出操作工程で支軸を引き上げることにより、突出姿勢とさせた保持部へ保持工程で予め設定された電線を保持させる。次いで、作業者は、保持工程で保持させた各電線にテープ巻き作業又は、外装部品の取付作業を行うために退避操作工程で上記支軸を押し下げ、上記保持部を退避姿勢へ変位させ、当該保持部に保持されていた各電線に対して、結束工程でテープ巻き作業又は、外装部品の取付作業、若しくは、双方の作業を行なうことによって、ワイヤーハーネスを製造する。
【００２１】
このような方法によって、作業者は、電線保持具の支軸を下方に押し下げることにより、保持部を退避姿勢とすることができるため、従来のように一旦支軸を保持された電線より上方へ引き上げる作業が不要となる。
【００２２】
そのため、作業者は、従来と異なり、退避姿勢とするために多数の電線とともに支軸を引き上げるのに必要な労力を省けるため、作業性を向上した状態でワイヤーハーネスを製造することができる。
【００２３】
また、作業者は、従来と異なり、保持部に保持された各電線を引き上げることなく、保持部を退避姿勢とすることができるので、各電線が他の保持具によって上昇を規制されている場合でも、容易に電線保持具を退避姿勢とすることができ、作業性を向上した状態でワイヤーハーネスを製造することができる。
【００２４】
さらに、作業者は、従来と異なり、各電線を引き上げることなく、保持部を退避姿勢とすることができるので、各電線の末端部間で引張り力を付与することなく、電線保持具を退避姿勢とすることができ、品質を可及的に安定させた状態でワイヤーハーネスを製造することができる。
【００２５】
【発明の実施の形態】
以下図面を参照して、本発明の好ましい実施形態について説明する。
【００２６】
図１は、本発明の実施形態に係る電線保持具と図板１の一部を省略して示す斜視図である。
【００２７】
図１を参照して、電線保持具１０は、図板１に固定される固定部材１１を備えている。この固定部材１１は、金属等の板部材であり、この板部材がコの字型に折り返されるとともに、その両端部が互いに離間する方向へ折り返され、当該両端部が一対のボルトＢ１によって、図板１上に固定されている。このように固定部材１１の両端部が図板１へ固定されることによって、当該図板１と固定部材１１との間に収容空間１１ａが区画されている。なお、図板１に対して上記固定部材１１が固定されている側を仮に下方とし、各ボルトＢ１が配設された方向を仮に左右方向として、以下説明する。
【００２８】
図２は、図１の電線保持具１０を分解して示す斜視一部略図である。
【００２９】
図１、図２を参照して、上記固定部材１１の下端部には、支持部１２が固定されている。この支持部１２は、金属等のブロック体であり、その上端部には、雄ねじ部１２ａが上方に向けて立設されている。この雄ねじ部１２ａは、上記固定部材１１の下端部に設けられた挿通孔１１ｂへ下方から挿通され、上記収容空間１１ａ内でナットＮ１と螺合することにより固定部材１１に固定されている。
【００３０】
一方、上記支持部１２には、支持穴１２ｂが設けられている。この支持穴１２ｂの上下方向の途中部に対応する支持部１２の左右両側面には、一対のボールプランジャ１３（弾性係止部）が設けられている（図１、図２では一方のみを開示する）。これらのボールプランジャ１３は、互いの先端部が上記支持穴１２ｂ内へ臨むように、支持部１２の左右両側面から内側へ向けて貫通配置され、ナットＮ２によって当該支持部１２に固定されている。また、各ボールプランジャ１３は、それぞれ図３に示すようにプランジャ本体１３ａを備えている。これらのプランジャ本体１３ａの先端部（互いに対向する端部）には、それぞれ上記支軸１４から離間する方向へ摺動穴１３ｂが設けられている。これらの摺動穴１３ｂには、それぞれ巻きばね１３ｃと、この巻きばね１３ｃによって先端部側へ付勢されたボール１３ｄが収容されている。これらのボール１３ｄは、それぞれ上記摺動穴１３ｂに出没可能な状態で収容されている。
【００３１】
上記雄ねじ部１２ａには、支持穴１２ｂに連通する支持孔１２ｃが設けら、この支持孔１２ｃは、略長方形の断面形状を有している。このような支持孔１２ｃには、支軸１４が挿通している。この支軸１４は、上記支持孔１２ｃの断面形状と略同一の断面形状を有する金属等の棒状部材であり、その長手方向を上下方向へ向けた状態で配設されている。支軸１４の下端部には、下方へ開くとともに、左右方向へ貫通するスリット１４ａが設けられている。この支軸１４の下端部には、３つの雌ねじ孔１４ｂが前後方向に貫通している。各雌ねじ孔１４ｂの内、最も上方に設けられたものに対応する上記スリット１４ａ内には、係止突起としての円板１５が挿入されている。この円板１５の略中央位置には、孔１５ａが前後方向に貫通しており、この孔１５ａを介して上記雌ねじ孔１４ｂへボルトＢ２が螺合されることによって、当該円板１５と支軸１４とが固定されている。また、円板１５は、上記支持穴１２ｂへ導入可能な状態で上記支軸１４の左右方向に突設配置されるとともに、支持穴１２ｂへ収容された場合に上記ボールプランジャ１３のボール１３ｄと摺接可能となるように寸法設定されている。
【００３２】
また、上記支軸１４は、その長手方向の途中部が上記図板１を摺動可能な状態で挿通しているとともに、その上端部に保持部１６を備えている。この保持部１６は、上記支軸１４の上端部に設けられたナットＮ３を介して支軸１４に固定されている。本実施形態で、このナットＮ３は、上記支軸１４と異なり、図板１を挿通不能な外形寸法に設定されている。また、本実施形態では、上記保持部１６は、Ｕ字型に形成された金属棒が前後に連結されたものであり、これらのＵ字間に複数の電線を保持するようになっている。
【００３３】
このような電線保持具１０は、保持部１６が図板１上へ突出して（上方へ移動して）電線を保持可能とする突出姿勢と、保持部１６が保持された電線より下方に退避する（下方へ移動する）退避姿勢との間で支軸１４が姿勢変更操作可能とされている。すなわち、支軸１４は、保持部１６が各電線の保持位置に突出した突出姿勢と、保持部１６が各電線の保持位置より下方に退避した退避姿勢との間で姿勢変更操作自在に上記支持部１２に支持されており、以下この姿勢変更操作時の動作について説明する。
【００３４】
図３は、図１の電線保持具１０の動作を示す断面一部略図であり、支軸１４が突出姿勢とされた状態を示している。
【００３５】
図４は、図１の電線保持具１０の動作を示す断面一部略図であり、円板１５がボールプランジャ１３のボール１３ｄを互いに離間させた状態を示している。
【００３６】
図５は、図１の電線保持具１０の動作を示す断面一部略図であり、支軸１４が退避姿勢とされた状態を示している。
【００３７】
図３を参照して、支軸１４が突出姿勢とされた状態では、上記ボールプランジャ１３のボール１３ｄが巻きばね１３ｃによって、それぞれ支軸１４に近接する方向へ付勢され、当該各ボール１３ｄが上記円板１５の下方側の周面に当接して、支軸１４の下方への移動を規制している。このように突出姿勢とされた支軸１４の保持部１６（図示せず）に対して、作業者は、複数の電線を保持させていき（保持工程）、予め設定された電線の保持作業が終了すると、所定の力で支軸１４を下方へ押込む。
【００３８】
図４を参照して、作業者によって、支軸１４が押込まれると、当該支軸１４とともに円板１５が下方へ移動するため、当該円板１５の周面に沿うように上記各ボール１３ｄが巻きばね１３ｃに付勢力に抗して、それぞれ支軸１４から離間する方向へ移動する。ここで、各ボール１３ｄを付勢する各巻きばね１３ｃの付勢力は、少なくとも保持部１６に保持された各電線の自重に応じて下方に生じる力では、各ボール１３ｄをそれぞれ支軸１４から離間する方向へ移動させることのないように設定されている。すなわち、各巻きばね１３ｃによりそれぞれ付勢されるボール１３ｄは、作業者による上記所定の力と、これに加えて保持部１６に保持された各電線の自重に応じて下方に生じる力の合力が上記円板１５に付与された場合に、それぞれ支軸１４から離間する方向へ移動するようになっている。
【００３９】
上記の状態からさらに支軸１４が押込まれると、図５に示すように、支軸１４は、その円板１５がボールプランジャ１３の下方位置まで押込まれ、この状態とされた支軸１４は、その自重によって、上記ナットＮ３の下面が図板１の上面と当接する位置（すなわち、退避姿勢）まで移動することとなる（退避操作工程）。このように退避姿勢まで押込まれた保持部１６に保持されていた各電線に対して、作業者は、テープ巻き作業又は、外装部品を取り付ける作業を必要に応じて行なうこととなる（結束工程）。
【００４０】
このようにワイヤーハーネスを製造した後、次の製造対象となるワイヤーハーネスを製造するために、作業者は、上記支軸１４を上方へ引き上げることにより、当該支軸１４とともに引き上げられる円板１５によって図４で示すようにボールプランジャ１３の各ボール１３ｄをそれぞれ支軸１４から離間する方向へ移動させ、さらに支軸１４を引き上げることにより、図３に示すように各ボール１３ｄがそれぞれ支軸１４に近接する方向へ復帰して、当該各ボール１３ｄによって支軸１４が突出姿勢で支持される（突出操作工程）。
【００４１】
以上のように電線保持具は、支軸１４の上端部に設けられた保持部１６が図板１の上方へ突出する突出姿勢と、図板１上に保持された各電線より下方に退避する退避姿勢の少なくとも２つの姿勢の間で、支軸１４が支持部１２に相対変位可能な状態で支持されている。上記支軸１４には、円板１５が設けられ、上記支持部１２には、この円板１５と摺接可能な状態でボールプランジャ１３のボール１３ｄが設けられている。このボール１３ｄは、突出姿勢とされた支軸１４の円板１５と当接して、当該支軸１４が退避姿勢となるのを規制している。
【００４２】
そのため、電線保持具１０は、突出姿勢とされた支軸１４に所定の押込み力が付与されることによって、円板１５がボール１３をそれぞれ支軸１４から離間させ、当該支軸１４が退避姿勢となるように巻きばね１３ｃの付勢力が設定されている。このような電線保持具１０を利用して、作業者は、突出姿勢とされた保持部１６へ各電線を保持させた後、上記支軸１４に対して所定の押込み力を与えることによって、当該支軸１４を退避姿勢とすることができる。
【００４３】
ところで、本実施形態では、上記突出姿勢とされた保持部１６の図板１に対する突出位置は、上記３ヶ所に設けられた雌ねじ孔１４ｂの位置に応じて円板１５を付け替えることによって、支軸１４の上下方向（すなわち、軸心方向）で３段階に変更可能（調整可能）に構成されている。
【００４４】
そのため、例えば、作業者毎に突出姿勢とされた保持部１６の設定高さを変更することによって、当該保持部１６を作業者毎に適した高さ位置とすることができる。
【００４５】
なお、上記実施形態では、支軸１４に対して円板１５を１つ装着しているが、この構成に代えて、支軸１４に複数個の円板１５が設けられることによって、突出姿勢から退避姿勢までの間で複数段階の姿勢で支軸１４を支持部１２によって、姿勢変更操作可能な状態で支持させるようにすることもできる。
【００４６】
また、上記実施形態では、保持部１６にＵ字形の金属棒を上下に連結したものを採用しているが、この構成に代えて、上述の電線支持具２ｃのようなものや（図６参照）、その他周知のものを採用することも可能である。
【００４７】
【発明の効果】
以上説明したように本発明は、支軸の先端部に設けられた保持部が各電線の保持位置に突出した突出姿勢と、保持部が各電線の保持位置より下方に退避する退避姿勢の少なくとも２つの姿勢の間で、支軸が支持部に相対変位可能な状態で支持されている。上記支軸には、係止突起が設けられ、上記支持部には、この係止突起と摺接可能な状態で弾性係止部が設けられている。この弾性係止部は、突出姿勢とされた支軸の係止突起と当接して、当該支軸が退避姿勢となるのを規制している。
【００４８】
このように構成された電線保持具は、上記突出姿勢とされた支軸に所定の押込み力が付与されることによって、係止突起が弾性係止部を支軸から離間させ、当該支軸が退避姿勢となるように弾性係止部の付勢力が設定されている。このような電線保持具を利用して、作業者は、突出姿勢とされた保持部へ各電線を保持させた後、上記支軸に対して所定の押し込み力を与えることによって、当該支軸を退避姿勢とすることができるため、従来技術のように、一旦支軸を突出姿勢よりも上方位置まで引き上げることなく、当該支軸を退避姿勢とすることができる。
【００４９】
そのため、従来のように退避姿勢とするために多数の電線とともに支軸を引き上げる作業が不要となり、作業者の労力を低減させ、ワイヤーハーネス製造作業の作業性を向上することができる。
【００５０】
また、退避姿勢とするために電線とともに支軸を引き上げる作業が不要となるため、各電線が他の保持具によって上昇を規制されている場合でも、容易に電線保持具を退避姿勢とすることができ、ワイヤーハーネス製造作業の作業性を向上することができる。
【００５１】
さらに、退避姿勢とするために電線とともに支軸を引き上げる作業が不要となるため、各電線の末端部間で引張り力を付与することなく、電線保持具を退避姿勢とすることができ、品質を可及的に安定させた状態でワイヤーハーネスを製造することができる。
【図面の簡単な説明】
【図１】本発明の実施形態に係る電線保持具と図板の一部を省略して示す斜視図である。
【図２】図１の電線保持具を分解して示す斜視一部略図である。
【図３】図１の電線保持具の動作を示す断面一部略図であり、支軸が突出姿勢とされた状態を示している。
【図４】図１の電線保持具の動作を示す断面一部略図であり、円板がボールプランジャのボールを互いに離間させた状態を示している。
【図５】図１の電線保持具の動作を示す断面一部略図であり、支軸が退避姿勢とされた状態を示している。
【図６】ワイヤーハーネス製造作業に使用される図板を示す斜視一部略図である。
【符号の説明】
１　図板
１０　電線保持具
１２　支持部
１３　ボールプランジャ
１３ｄ　ボール
１３ｃ　巻きばね
１４　支軸
１５　円板
１６　保持部
Ｗ　電線
【図１】
2004079412.tif 000003
【図２】
2004079412.tif 000004
【図３】
2004079412.tif 000005
【図４】
2004079412.tif 000006
【図５】
2004079412.tif 000007
【図６】
2004079412.tif 000008